(57)【要約】【課題】コストダウンを図ることのできる浮遊物除去装置を提供すること【解決手段】沈澱池や曝気槽などの槽内に設けられて水面の浮遊物を呑み込むための浮遊物除去装置であって、樋状をなしその少なくとも呑み込み側である一側部が水面より下がった状態で固定して設けられたトラフと、ガラス繊維強化型硬質ウレタンなど水面で浮上する性質のものを本体部分として前記トラフの前記一側部外方において上下するように設けられた堰止め部材と、同堰止め部材を上下に案内する浮沈案内手段と、前記堰止め部材とトラフとの間の水の浸入をシール手段とを有し、前記堰止め部材を上下運動させ得るように構成されていることを特徴とする。【選択図】  図３
2004283814.tif 000002
【特許請求の範囲】
【請求項１】
沈澱池や曝気槽などの槽内に設けられて水面の浮遊物を呑み込むための浮遊物除去装置であって、樋状をなしその少なくとも呑み込み側である一側部が水面より下がった状態で固定して設けられたトラフと、ガラス繊維強化型硬質ウレタンなど水面で浮上する性質のものを本体部分として前記トラフの前記一側部外方において上下するように設けられた堰止め部材と、同堰止め部材を上下に案内する浮沈案内手段と、前記堰止め部材とトラフとの間の水の浸入をシール手段とを有し、前記堰止め部材を上下運動させ得るように構成されていることを特徴とする浮遊物除去装置。
【請求項２】
請求項１記載のものにおいて、堰止め部材は、垂直に上下運動するようになっている浮遊物除去装置。
【発明の詳細な説明】
【０００１】
【産業上の利用分野】
この発明は、沈澱池や曝気槽、さらに一般の池などに設置構成される浮遊物除去装置に関する。
【０００２】
【従来の技術】
例えば、沈澱池においては、固定式のトラフが横架されてその一側部あるいは前後両側部が水面より低く設定されるとともに、その低い部分の前に堰止め部材を配して上下に運動するようにされることで、同堰止め部材が水面から下がった状態で水面上の浮遊物を呑み込み、水面から上がった状態で浮遊物の呑み込みを停止するように構成されている。これにより、多量の水を呑み込むことなく少ない水とともに浮遊物を効率的に呑み込み、外部に除去するようにしてある。
【０００３】
【発明が解決しようとする課題】
ところで、こうした浮遊物除去装置は、堰止め部材がＳＵＳ製で中空型の長尺状のものとされていたため、コストダウンを図ることができなかった。
【０００４】
この発明は前記課題を解決するためになされたもので、その目的とするところは、コストダウンを図ることのできる浮遊物除去装置を提供することにある。
【０００５】
【課題を解決するための手段】
この発明は前記課題を解決するためになされたもので、請求項１記載の発明は、沈澱池や曝気槽などの槽内に設けられて水面の浮遊物を呑み込むための浮遊物除去装置であって、樋状をなしその少なくとも呑み込み側である一側部が水面より下がった状態で固定して設けられたトラフと、ガラス繊維強化型硬質ウレタンなど水面で浮上する性質のものを本体部分として前記トラフの前記一側部外方において上下するように設けられた堰止め部材と、同堰止め部材を上下に案内する浮沈案内手段と、前記堰止め部材とトラフとの間の水の浸入をシール手段とを有し、前記堰止め部材を上下運動させ得るように構成されていることを特徴とする。
請求項２記載の発明は、請求項１記載のものにおいて、堰止め部材は、垂直に上下運動するようになっている。
【０００６】
【発明の実施の形態】
以下、図示した実施形態を参照してこの発明を詳細に説明する。
図１、図２および図３（図１のＩＩＩ−ＩＩＩ線断面図）は、この発明の好適な実施形態を示す。同実施形態は、左右の両側壁１，１を対向して備えた矩形の沈澱池を対象とするもので、曝気槽やその他の処理池、さらに浮遊物のある一般の池などもその対象とする。これらを槽と呼ぶ。
【０００７】
この槽内の水面２の浮遊物を呑み込むための次の浮遊物除去装置を構成する。同装置において、３は連通トラフで、各側壁１の水面２を境に上下にわたるように貫通装備されている。これらの連通トラフ３，３は図１の右側のものがやや低くなっていて呑み込まれたスカム（水を含む）が右方向に流れるようにされている。その流れ方向は逆向きやその他の方向でもよい。
【０００８】
５はトラフで、底板部６・前板部７・後板部８の板面からなる長尺樋状をなし、底板部６は、図３においては水平な面であるが図１においては右下がりの面とされてスカム水が右方向に流れやすくしてあり、前板部７は、図３のように上端が前向き湾曲しトラフ幅と同じく長尺状になった保護部９とされてゴム板が当っても損傷しないようになっている。後板部８は、その上端に上フランジ１０を備えて補強の役目ももっている。こうしたトラフ５は、連通トラフ３側の外フランジ１１とこれに対する内フランジ１２とによって止着具１３…により脱着可能に結合されている。これにより、スカムの呑み込み側である一側部（保護部９）は、水面２よりも下がった状態とされている。
【０００９】
１５は堰止め部材で、同堰止め部材１５は、ガラス繊維強化型硬質ウレタンにより帯長状に形成されている。この堰止め部材１５は、例えば、日清紡製エアライトＦＲＵ（商品名）が使用され、同堰止め部材１５は、そのもの単独では水面２で略半分が沈み残りは水面２上に浮上する性質のもので、図１の正面図のようにトラフ５の長手長さより少し短い程度の長さをもつ。同堰止め部材１５は、その上端を斜めカットあるいは斜め状に一体成形することによりスカムの切れる突起部１６が形成されている。
【００１０】
堰止め部材１５は、この実施形態ではトラフ５の前方の少し離れたところで垂直に上下運動する。そのため、同堰止め部材１５を上下に案内する浮沈案内手段１８を構成してある。浮沈案内手段１８は、前板部７の内面において池幅方向（側壁１の対向する方向）に複数本一体突設されたスタッドボルトでなる止着具１９により池幅方向に長くなるように締め付け固定されたレ形をしたＳＵＳ製や樹脂製などの受け金具２０と、同金具２０の池幅方向数個所にそれぞれの基部が固定されたＪ形をなすＳＵＳ製や樹脂製などのガイドバー２１とを有するとともに、堰止め部材１５の前面に座板を介して脱着可能に止着具２２により取り付けられた左右１対をなすＳＵＳ製や樹脂製などのガイドパイプ２３とでなっている。このガイドパイプ２３の縦孔内には前記ガイドバー２１がそれぞれ差し込まれて固定のガイドバー２１を基準にガイドパイプ２３が上下することで堰止め部材１５が垂直に上下し得るようになっている。
【００１１】
堰止め部材１５とトラフ５との間の水の浸入を阻止するシール手段は、図３のように逆Ｕ字形で長尺状をしたゴム製で弾性変形自在な主シール部材２５と、図２の平面図のようにコの字形をしたゴム製の側部シール部材２６の１対とでなる。主シール部材２５は、図３のようにその一端である固定端が前板部７と受け金具２０との間に前記止着具１９により介装固定されている一方、同部材２５の他端である上下動部は、堰止め部材１５の裏面に止着具２６により止め付けられている。側部シール部材２６は、堰止め部材１５の池幅方向両端に止着具などで取り付けられて内外のフランジ１１，１２にその溝部が嵌まり合って水圧を受けながら上下に摺動するようになっている。
【００１２】
２８は軸ブラケットで、同ブラケット２８は、複数組でなり、トラフ５の後板部８の前面上端に脱着自在あるいは溶接固定により配備されている。これらのブラケット２８を介して長尺状の回転主軸２９が回転自在に設けられている。これらブラケット２８は、左右１対のみであったり、左右１対とその中間の３点に配備したものでもよい。
【００１３】
回転主軸２９の一端（図１および図２の左端）からは第１連動アーム３０が水平前方に突設されて回転主軸２９とともに回転するようにされる一方、回転主軸２９の池幅方向左右対称位置からは、第２連動アーム３１が同じく水平に突設されて回転主軸２９とともに回転するようになっている。
【００１４】
第１連動アーム３０の先端には、図３に示すように池底近くまで垂れ下がった連動ロッド３２が回転自在に連結されるとともに、同ロッド３１の下端には、定位置回転支軸３３廻りに上下揺動する倣い部材３４の基部が回転自在に連結されている。倣い部材３４は、２段に湾曲したもので、池底下回りにくるチェーン３５により運動されるフライト３６に装備されたカムローラー３７により持ち上げられ、これにより、連動ロッド３２が下がると同時に第１連動アーム３０も下がるようになっている。
【００１５】
第２連動アーム３１は、第１連動アーム３０と同じ方向に動作するように回転主軸２９廻りに取り付けられており、その前端には、回転自在に引き上げロッド３８が設けられ、同ロッド３８の下端は、堰止め部材１５の前面に装備された案内パイプ３９に摺動自在に差し込まれるとともに、同ロッド３８の下部外周に取り付けられた引き上げ片４０が上方へ持ち上げられると案内パイプ３９を介して堰止め部材１５が持ち上げられるようになっている。第２連動アーム３１の後部軸上には、進退操作自在なウエイト４１がそれぞれ装備されている。
【００１６】
一方、４３は左右１対の流入量制御フロートで、同フロート４３は、堰止め部材１５に取り付けられたフロート支持片４４を介して取り付けられて、、図１のように堰止め部材１５が浮上した時に水面２より少し高い位置に設定され堰止め部材１５が下がった時その水面２内に沈んで浮力を発生し堰止め部材１５の上端高さを水面２から数ｃｍのところまで常時くるように制御するものである。そのことから、同フロート４３は、支持片４４を止着具により高さ調節することで上下に位置調整自在にしておく。また、フロート４３は、図２に平面図を示すように、トラフ５内へのスカムの流入を円滑にするため、前部および／または後部を先鋭状にしたり丸くしたりする。前記倣い部材３４は水面上にあるものとして池上、駆動型を採用することがある。
【００１７】
次にこのスカム除去装置の作動を説明する。
図１ないし図３は水面２の浮遊物（スカム）の流入が止められている状態を示す。この状態は、後部のウエイト４１が作用して第２連動アーム３１は前上がりに持ち上げられ、これにより、引き上げロッド３８の引き上げによりその下部の引き上げ片４０が案内パイプ３９を引き上げて堰止め部材１５を持ち上げることになる。この動作は、ガイドバー２１に添ってガイドパイプ２３が摺動することで堰止め部材１５が垂直に案内され、その際、主シール部材２５は湾曲状態を保ちながら弾性変形して前部が持ち上がるように作用するとともに水密状態は常に保持されるようになっている。第２連動アーム３１は、上フランジ１０に配置した高さ調節自在なストッパ４５によりその下限が規定され、これにより、堰止め部材１５の水面２からの突き出し高さが規定される。必要によりストッパ４５を調節すれば堰止め部材１５の高さ調節ができる。このストッパ４５は、他の個所に設けてもよい。尚、流入量制御フロート４３は水面２よりも少し上方に離れて浮いた状態にある。
【００１８】
一方、図３のようにカムローラー３７が倣い部材３４を持ち上げるようになると、連動ロッド３２が引き下げられ、第１連動アーム３０が下げられてこれに連動する回転主軸２９を介して第２連動アーム３２が強制的に前下がりとなる。それとともに、引き上げロッド３８も下がり、引き上げ片４０も下がるので、それまでの引き上げ力は解除されて堰止め部材１５は自由になり、その結果、堰止め部材１５は下がってゆくことになる。堰止め部材１５はそれ自体がガイドパイプ２３・案内パイプ３９などを装備するため、自由になると図３の状態から沈む傾向となって、その上端である突起部１６が水面２よりさらに数ｃｍ沈むことになる。
【００１９】
しかし、その過程で下がってくる流入量制御フロート４３が水面２に着水し次第に浮力を発生してくるので、一定の下がったレベルで同堰止め部材１５の下降はバランスして停止することになる。そのことから、突起部１６の上端は水面２から数ｃｍの好ましいところで停止して水を多量に呑み込まず少量の呑み込みを行いながらスカムの方を効果的に呑み込むことになる。こうした少量水流入下での効果的なスカム呑み込み作用は、水位が変動しても同様である。
【００２０】
カムローラー３７が倣い部材３４を持ち上げる過程で、同倣い部材３４は、前後２段階の下向き凸部間に凹みを有することから、堰止め部材１５は一旦は大きく下がるがその少し後に水面２に向けてやや浮上することになり、これにより、流入水量を少し絞った状態を得ることから流入速度を高めて遠くのスカムを引き寄せてトラフ５内に流入させるように作用する。そののち、２段階目の凸部にカムローラー３７がさしかかることで、堰止め部材１５は再び自由な状態になって通常呑み込み量となる。そして、カムローラー３７が倣い部材３４を通過することで、ウエイト４１が実効状態になって図３のスカムせき止め状態を得る。こうした作動中においては、突起部１６が流入してくるスカムを壊すように機能し、流れやすくする。
尚、堰止め部材１５はウエイト４１により引き上げる一方、その引き上げ力はフライト３６からレバーの連動で解除させる方式であったが、電動シリンダにより引き上げる一方その引き上げ力の解除で堰止め部材１５が下がるように構成してもよく、その駆動源としては、揺動する水入れタンクの中に水を供給して堰止め部材１５を引き上げる一方、同タンクが水抜き孔を介して空になったときに堰止め部材１５の引き上げ力が解除されるように構成してもよい。勿論手動操作によって同じことを行うようにしてもよい。
また、前記引き上げ片４０は、引き上げロッド３８に対して上下調節可能にしてもよい。
さらに、前記ウエイト４１に代えてばねなどの弾性部材を使用してもよい。
【００２１】
図４ないし図１０は、他の実施形態を示す。
図４の例は、堰止め部材４８が、ＦＲＵなどによる本体４９とその上端に被せられたＳＵＳ製などの被冠部材５０とからなる。被冠部材５０は、スカムを壊すためと補強のために設けられるが、図示のように突起５１によりプレスで噛み込ませたりあるいは止着具で取り付けることができる。被冠部材５０に代えて、図右欄のようなフラットバー状の被着部材５１を突設してもよい。同部材５１の上端には鋸歯状にしてもよい。
【００２２】
図５の例は、トラフ５の底部に軸ブラケット５３を配して回転主軸５４を通し、この軸５４に、第１連動アーム５５と第２連動アーム５６を装備して、第１連動アーム５５に連動ロッド５６を連結し、第２連動アーム５６に引き上げ片５７付き引き上げロッド５８を連結して案内パイプ３９に差し込むものとしたものである。尚、第１連動アームは図３のように池上に配し、第２連動アームは図５のようにトラフ底に配して両者をリンクで連動自在に連結してもよく、また、その逆の配置にしてもよい。
【００２３】
図６の例は、トラフ６０の前部一側に前記ＦＲＵのような堰止め部材６１を斜め配置して上下運動させるようにしたものを示す。堰止め部材６１は、トラフ６０の前部に止着具６２により取り付けられたゴムなどの支持シール板６３の先端部に連結するが、その際、堰止め部材６１それ自体に形成した凹み６４に接着や圧入などにより固定された埋込ナット６５に座板６６を介して止着具６２をねじ込むことで連結される。
この形式のスカム除去装置は、堰止め部材６１が図示しない押し下げ駆動手段により押し下げられることで支持シール板６３の弾性力に抗して矢印のように下げられてスカムを呑み込むようになり、押し下げ力の解除により堰止め部材６１が自らの浮力（ウエイトなどの復帰力を付加することもある）により浮上してスカムの流入を停止させる。
尚、ナット６５は、堰止め部材６１の上面側に配してもよい（他の実施形態でも適用可能）。また、堰止め部材６１の斜め方向２個所と支持シール板６３とを連結してもよい（他の実施形態でも適用可能）。堰止め部材６１はトラフ６０の前後に配してもよい。
【００２４】
図７の例は、先端に突起６７を有するＳＵＳ製などによる被着部材６８を本体６９の上面から前後面を介して底面一部にまで廻り込むように被せて堰止め部材７０を構成してスカムを壊す機能と補強機能とをもたせたものである。この場合、被着部材６８は、プレスや接着などで本体６９に一体化されるが、図示のように被着部材６８の基部を支持シール板６３との間に挟むようにすれば取り付けの安定化が図れる。
【００２５】
図８の例は、被着部材７２を本体７３の上面から前後面まで廻るものとして一体化したものである。
図９の例は、略三角形をした本体７５に被着部材７６を被せたもので、図１０のように突起７８つきの被着部材７９として本体８０に一体化してもよい。
図１１の例は、本体８１の内芯材８２として金属（鉄板やＳＵＳ板など）や硬質樹脂などによるものを一体成形してその補強を図るようにしたものである。この内芯材８２は、図右欄のような波板状のものでもよい。また、内芯材は複数枚でもよい。この内芯材方式は、図１以下の全ての実施形態に適用する。
【００２６】
【発明の効果】
この発明によれば、コストダウンを図ることのできる浮遊物除去装置を提供することができる。
【図面の簡単な説明】
【図１】この発明の一実施形態を示すスカム除去装置の正面図。
【図２】スカム除去装置の平面図。
【図３】図１のＩＩＩ−ＩＩＩ線断面図。
【図４】他の実施形態を示す断面図。
【図５】他の実施形態を示す側断面図。
【図６】他の実施形態を示す側断面図。
【図７】他の実施形態を示す堰止め部材の断面図。
【図８】他の実施形態を示す堰止め部材の断面図。
【図９】他の実施形態を示す堰止め部材の断面図。
【図１０】他の実施形態を示す堰止め部材の断面図。
【図１１】他の実施形態を示す堰止め部材の断面図。
【符号の説明】
５…トラフ  １５…堰止め部材  １８…浮沈案内手段  ２１…ガイドバー  ２３…ガイドパイプ  ２５…主シール部材  ２６…側部シール部材  ２９…回転主軸  ３０…第１連動アーム  ３１…第２連動アーム  ３８…引き上げロッド  ３９…案内パイプ  ４０…引き上げ片  ４１…ウエイト  ４３…流入量制御フロート。
【図１】
2004283814.tif 000003
【図２】
2004283814.tif 000004
【図３】
2004283814.tif 000005
【図４】
2004283814.tif 000006
【図５】
2004283814.tif 000007
【図６】
2004283814.tif 000008
【図７】
2004283814.tif 000009
【図８】
2004283814.tif 000010
【図９】
2004283814.tif 000011
【図１０】
2004283814.tif 000012
【図１１】
2004283814.tif 000013